(57)【特許請求の範囲】
【請求項１】
容器体口頸部へ嵌合させる装着筒内から垂直筒を起立し、かつ該垂直筒上端から射出筒を、かつ中間部からシリンダ３を、それぞれ前方突出し、又シリンダ内へ嵌合させたプランジャ４前端部を、上記射出筒前部から前後方向へ揺動可能に垂設したトリガーの上部後面へ連結し、更に上記射出筒前端へ回動自在に嵌合させたノズル外面へノズルカバー７を嵌着させて、該カバー下面からトリガー５前面に沿ってトリガーカバー８を垂下して該カバー前面へ、該トリガーカバー後方引寄せ防止用突部９を付設すると共に、上記ノズルカバー７の一方側面から、トリガー５の上部側面に接して係合板10を後方突設し、該係合板の後端部内面にスペーサ11を付設して、該スペーサの前面はトリガー５上部後面へ、かつ後面はシリンダ３の前端面下部へ、それぞれ上記射出筒に対してノズルと共に行うノズルカバー７の回動により着脱自在に係合させた
ことを特徴とするトリガー式液体噴出器。
【発明の詳細な説明】
【０００１】
【発明の属する技術分野】
本発明はトリガー式の液体噴出器に関する。
【０００２】
【従来の技術】
例えば特開平8-196958号が示すように容器体口頸部外面へ嵌合させる装着筒の上部内から垂直筒を起立すると共に、該垂直筒上端から射出筒を前方突出し、又該射出筒前部に枢着させてトリガーを垂下し、更に上記垂直筒から前方突設したシリンダ内へプランジャを前方付勢させて嵌合させ、該プランジャ前端を上記トリガーの上部後面へ係合させて、トリガー引寄せでシリンダ内液体を射出筒前端へ嵌合させたノズルが有するノズル孔から噴出させ、又トリガー解放によりプランジャが前進してシリンダ内が負圧化すると共にトリガーが復帰し、シリンダ内負圧化で容器体内液体がシリンダ内へ吸込まれるよう設けたトリガー式の液体噴出器が周知である。
【０００３】
上記液体噴出器は、悪戯でトリガーを引寄せても液体を噴出するから、このような欠点を除去するため、安全装置として、射出筒とノズルとに、液体吐出路の前半部と後半部とを別々に設け、ノズルを回動させると上記液体吐出路の前半部と後半部とが連通すると共に、更に回動又は逆回転によってそれ等前半部と後半部の連通が遮断されるようにすることが行われている。しかし、上記のようにノズルを回動させて液体吐出路を開閉するよう設けた液体噴出器においても、液体吐出路閉塞状態のままで度々トリガーを引寄せすると、該トリガーが撓み又弾性復元することで、プランジャが多少後退し又前進することとなり、するとシリンダ内の異常な高圧化で吐出弁を通って、該吐出弁と上記ノズル嵌合筒等が形成する液体吐出路部分との間の射出筒前方部分内に高圧液体が貯ることがあり、このようになると上記ノズルヘッドを液体吐出路連通位置まで回したとき、その射出筒前方部分内に貯っていた高圧液体が、トリガー操作を行わないに拘らずノズル孔から噴出することが生じた。又トリガーを強く引寄せすると、射出筒内の高圧化でノズルヘッドがノズル嵌合筒から外れるおそれもあった。
【０００４】
上記のような欠点を除去するため、特開平 10-146550号にあっては、射出筒前端へ回動自在に嵌合させたノズル外面へノズルカバーを一体的に嵌着させて、該カバー下面からトリガー前面に沿ってトリガーカバーを垂下し、該カバー前面へ、該トリガーカバー後方引寄せ防止用の突部を付設し、このようにすることで、トリガーを引寄せ操作する際は、必ずトリガーカバーをノズルカバーの側上方へ押上げることでトリガー前面から外すよう設けている。
【０００５】
又特開平 10-128187号にあってはトリガー後部からストッパを垂下し、該ストッパを揺動させてその下端をシリンダの下部前端面へ係合させることでトリガーの引寄せ操作を不能とし、トリガー操作の際はストッパをシリンダから外して垂下できるよう設けている。
【０００６】
【発明が解決しようとする課題】
上記特開平 10-146550号の場合も、悪戯等により板等の道具を使ってトリガーとトリガーカバーとを共に後方引寄せする操作は防止できず、又特開平 10-128187号の場合も上記ストッパ使用による安全装置掛け忘れの場合等が問題となる。
【０００７】
本発明は、上記ノズルカバーからトリガーカバーを突出させると共に、そのノズルカバー側面からスペーサ付きの係合板を突設して、そのスペーサがトリガー後面とシリンダ前端面の下部との間に入ってトリガー操作が不能となるよう設けて上記課題を解決するものである。
【０００８】
【課題を解決するための手段】
容器体口頸部へ嵌合させる装着筒内から垂直筒を起立し、かつ該垂直筒上端から射出筒を、かつ中間部からシリンダ３を、それぞれ前方突出し、又シリンダ内へ嵌合させたプランジャ４前端部を、上記射出筒前部から前後方向へ揺動可能に垂設したトリガーの上部後面へ連結し、更に上記射出筒前端へ回動自在に嵌合させたノズル外面へノズルカバー７を嵌着させて、該カバー下面からトリガー５前面に沿ってトリガーカバー８を垂下して該カバー前面へ、該トリガーカバー後方引寄せ防止用突部９を付設すると共に、上記ノズルカバー７の一方側面から、トリガー５の上部側面に接して係合板10を後方突設し、該係合板の後端部内面にスペーサ11を付設して、該スペーサの前面はトリガー５上部後面へ、かつ後面はシリンダ３の前端面下部へ、それぞれ上記射出筒に対してノズルと共に行うノズルカバー７の回動により着脱自在に係合させた。
【０００９】
【発明の実施の形態】
まず従来公知の部分について簡単に説明すると、１は容器体、２は容器口頸部へ螺合させた装着筒で、該装着筒から垂直筒を起立し、該垂直筒上端から射出筒を、かつ中間部からシリンダ３を、それぞれ前方突出し、又シリンダ内へ前方付勢させて嵌合させたプランジャ４前端部を、上記射出筒前部から前後方向への揺動が可能に垂設したトリガー５の上部後面へ連結している。図示例では上記垂直筒と射出筒とシリンダの大半およびトリガー５の上部とを本体カバー６で覆合している。
【００１０】
上記射出筒の前端部にはノズルが回動自在に、かつ抜出し不能に嵌合させてあり、該ノズル外面へはノズルカバー７が一体的に回動不能に嵌合させてあり、該ノズルカバー下面からは、トリガー５前面に沿ってトリガーカバー８を垂下し、該トリガーカバー前面からは、トリガーカバー後方引寄せ防止用のリブ兼用突部９を突設している。
【００１１】
上記従来公知の構成において、トリガーカバー８を上外方へ回すと、ノズルカバー７がノズルと共に射出筒前部に対して回動し、このとき液体吐出路とノズル孔とは連通する。よって該状態でトリガーを揺動操作すると容器体内液体がシリンダ内へ吸込みされ、又該シリンダ内液体が射出筒を通りノズル孔から噴出するものである。
【００１２】
上記構成において、本発明にあっては、ノズルカバー７の左右一方の側面から、トリガー５の上部側面に接して係合板10をＬ字状に後方突設し、該係合板の後端部内面にスペーサ11を付設した。そのスペーサはその前面を図３が示すようにトリガー５の後面に接し、又後面を図１および図３が示すようにシリンダ３の前端面下部に接するよう設ける。
【００１３】
該状態では、トリガー５とシリンダ３前端面との間にスペーサ11が介在するためトリガー５は後方へ揺動することが不能となり、よって該トリガー操作による液体噴出は不能となる。
【００１４】
上記スペーサ付きの係合板10とトリガーカバー８とは共にノズルカバー７から突設してあるから、トリガーカバー８を係合板10がトリガー５側面から離れる方向へ回すことで、スペーサ11はトリガー５とシリンダ３前端面下部との間から外れて上外方へ移動することとなり、よって該状態でだけトリガー操作による液体噴出が可能となり、又トリガーカバー８をトリガー前面へ戻すことで、スペーサ11も上記トリガーとシリンダとの間へ復帰し、再びトリガー操作は不能となる。
【００１５】
【発明の効果】
本発明は既述構成とするものであり、トリガー前面に沿って、ノズルカバー７から突設したトリガーカバー８を垂下し、かつその前面にトリガーカバー引寄せ防止用の突部９を付設するほか、ノズルカバー７の一方側面から突出させた係合板10の後端部内面に付設したスペーサ11の後面をシリンダ前端面の下部へ、又前面をトリガー後面へ当接させたから、トリガー５の後方引寄せ操作を上記突部９とスペーサ11とが二重に防止して安全装置を行うこととなり、よってトリガー前面に沿ってトリガーカバーが垂下する状態でのトリガー操作を確実に防止できる。又それ等トリガーカバー８等で行う安全装置の取外しは、トリガーカバー８をノズルカバーの側外方へ回動させて行えばよく、よってその操作は極めて容易である。更に上記安全装置取外し状態では、上記トリガーカバーおよびスペーサ付きの係合板10がノズルカバー側外方へ突出することとなって外見上不体裁となるから、安全装置の実施忘れを防止することが出来る。
【図面の簡単な説明】
【図１】  本発明トリガー式液体噴出器の側面図である。
【図２】  図１液体噴出器の斜視図である。
【図３】  図１液体噴出器要部の下面図である。
【符号の説明】
３…シリンダ              ５…トリガー
７…ノズルカバー          ８…トリガーカバー
10…係合板                11…スペーサ
【図１】
0004123645.tif 000002
【図２】
0004123645.tif 000003
【図３】
0004123645.tif 000004